(57)【要約】【課題】ロール紙管の内径の変化に対応することができ、常に安定にロール紙管に保持され、ロール紙の巻き取りを安定して確実に行うことが可能なロール紙保持具を提供する。【解決手段】紙管４の端部に保持される環状保持部材１と、該環状保持部材に対して相対的に回転可能に設けられたロック部材２とからなり、環状保持部材２は、紙管４の端部内に嵌め込まれる中空円筒部５と、円筒部５の一端から外方に広がったリング状基板６とを備え、ロック部材２は、中空円筒部５よりも大径の頭部基板１０と、頭部基板１０の内面に設けられ且つ先端が紙管４の内面に圧着されるコイルバネ１２とを有していることを特徴とする。【選択図】  図１
2004323215.tif 000002
【特許請求の範囲】
【請求項１】
ロール紙が巻かれた紙管の端部に保持される環状保持部材と、該環状保持部材に対して相対的に回転可能に設けられたロック部材とからなり、前記環状保持部材は、前記紙管の端部内に嵌め込まれる中空筒部と、該筒部の一端から外方に広がったリング状基板とを備え、前記ロック部材は、前記中空筒部よりも大径の頭部基板と、該頭部基板の内面に設けられ且つ先端が前記紙管の内面に圧着されるコイルバネとを有していることを特徴とするロール紙保持具。
【請求項２】
前記ロック部材を前記コイルバネが伸張する方向に回転させることにより、前記紙管の内面及び前記環状保持部材の中空筒部の内面を押し広げるように該コイルバネの弾性力が作用する請求項１に記載のロール紙保持具。
【請求項３】
前記リング状基板の周縁には、全周にわたって中空筒部とは反対側方向に延びている周状フランジが形成され、該周状フランジの内面には、全周にわたって凹部と凸部の繰り返しからなる波形係合部が形成され、前記ロック部材の頭部基板の外周面には、前記波形係合部と係合する係合部が形成され、該波形係合部と頭部基板の係合部との係合により、前記ロック部材は、前記環状保持部材に対して、段階的に回転し得るように設けられている請求項１または２に記載のロール紙保持具。
【請求項４】
前記中空筒部の外周面には、軸方向に延びているリブが周方向に間隔をおいて複数形成されている請求項１に記載のロール保持具。
【発明の詳細な説明】
【０００１】
【発明の属する技術分野】
本発明は、複写機、ファクシミリ、プリンターなどの画像形成装置に使用されるロール紙に用いられるロール紙保持部材に関する。
【０００２】
【従来の技術】
複写機やファクシミリに代表される画像形成装置においては、電子写真法により像担持体（感光体）に形成されたトナー像を転写紙に転写し、転写されたトナー像を熱、圧力により、転写紙表面に定着することにより画像形成が行われる。このような転写紙を、所謂ロール紙の形で装置内に装着し、上記の転写工程及び定着工程に供給するタイプの装置がある。特にＡ１の如き大型サイズの用紙に画像形成を行う業務用の画像形成装置や、家庭用のファクシミリなどに、このようなロール紙を使用するものが多い。
【０００３】
上記のようなロール紙は、紙管（紙或いは合成樹脂などからなる）に転写紙を巻いたものであり、巻かれた転写紙を引っ張りながら所定の画像形成工程（転写及び定着工程）に供給し、画像形成終了後は、カッターにより切断して装置外に排紙するようになっている。従って、ロール紙は、回転可能に且つ幅方向にぶれないように且つ巻き取り可能に装置内に保持しておく必要があり、このために、紙管の端部には、適当なロール保持部材が嵌め込まれている（例えば特許文献１参照）。
【０００４】
【特許文献１】
特開２００１−８０９７８号公報
【０００５】
【発明が解決しようとする課題】
上記特許文献１のロール保持部材は、環状のフランジ部材（１９）と該フランジ部材の内部に挿入されたロックレバー（２３）付のストッパー（１７）とを備えているものであり、このロックレバー（２３）を操作してストッパー（１７）がロール紙管により押圧されることによりフランジ部材（１９）とロール紙管とが固定されるというものである。
【０００６】
しかしながら、ロール紙管の内径は、メーカ毎或いは国毎で微妙にサイズが異なるという問題があり、上記特許文献１の如きロール保持部材は、このようなサイズの変化に有効に対応することが困難である。例えば、紙管内径が小さい場合には、ロックレバーのセットが困難となり、紙管内径が大きい場合には、ロックが不十分となり、環状のフランジ部材を安定に保持することができず、ロール紙の巻き取り等が不安定となっている。
【０００７】
従って、本発明の目的は、ロール紙管の内径の変化に対応することができ、常に安定にロール紙管に保持され、ロール紙の巻き取りを安定して確実に行うことが可能なロール紙保持具を提供することにある。
【０００８】
【課題を解決するための手段】
本発明によれば、ロール紙が巻かれた紙管の端部に保持される環状保持部材と、該環状保持部材に対して相対的に回転可能に設けられたロック部材とからなり、前記環状保持部材は、前記紙管の端部内に嵌め込まれる中空筒部と、該筒部の一端から外方に広がったリング状基板とを備え、前記ロック部材は、前記中空筒部よりも大径の頭部基板と、該頭部基板の内面に設けられ且つ先端が前記紙管の内面に圧着されるコイルバネとを有していることを特徴とするロール紙保持具が提供される。
【０００９】
本発明においては、
１．前記ロック部材を前記コイルバネが伸張する方向に回転させることにより、前記紙管の内面及び前記環状保持部材の中空筒部の内面を押し広げるように該コイルバネの弾性力が作用すること、
２．前記リング状基板の周縁には、全周にわたって中空筒部とは反対側方向に延びている周状フランジが形成され、該周状フランジの内面には、全周にわたって凹部と凸部の繰り返しからなる波形係合部が形成され、前記ロック部材の頭部基板の外周面には、前記波形係合部と係合する係合部が形成され、該波形係合部と頭部基板の係合部との係合により、前記ロック部材は、前記環状保持部材に対して、段階的に回転し得るように設けられていること、
３．前記中空筒部の外周面には、軸方向に延びているリブが周方向に間隔をおいて複数形成されていること、
が好適である。
【００１０】
本発明では、環状保持部材を、コイルバネを備えたロック部材を挿入した状態で紙管内部に嵌め込むことにより、該環状保持部材をロール紙に対して安定に保持することができる。即ち、ロック部材に設けられているコイルバネは、ロック部材を所定方向に回転することにより伸張し、その径が大きくなり、また逆方向に回転させれば収縮し、その径が小さくなる。即ち、ロール紙管の径に応じてコイルバネの径を変化させることができるため、ロール紙管の径に左右されず、ロール紙管に対してロック部材を常に安定に保持固定することができる。従って、このようなロック部材によって、環状フランジ部材をロール紙管に安定にしっかりと保持させることが可能となる。
【００１１】
【発明の実施形態】
本発明を、以下、添付図面に示す具体例に基づいて説明する。
図１は、本発明のロール紙保持具をロール紙管と共に示す側断面図であり、
図２は、図１のロール保持具の正面図であり、
図３は、図１のロール保持具における環状保持部材の背面図であり、
図４は、コイルバネの先端形状の例を示す図である。
図５は、本発明のロール保持具の他の例を示す側断面図である。
【００１２】
図１乃至図３において、このロール状保持具は、全体として１で示す環状保持部材と、全体として２で示すロック部材とから構成され、ロール紙３が巻かれた紙管４の端部に保持固定されるものである。
【００１３】
環状保持部材１は、紙管４の端部内に嵌め込まれている中空円筒部５と、中空円筒部５の一端から外方に広がったリング状基板６とを備えている。また、リング状基板６の周縁には、その全周にわたって、中空円筒部５とは反対側に延びている周状フランジ７が設けられている。
【００１４】
上記の中空円筒部５の外面には、図３に示されているように、軸方向に延びているリブ５ａを適当な間隔で複数形成することができ、これにより、中空円筒部５ががっちりと紙管４の内部で固定され得るようになっている。また、このようなリブ５ａを設けた場合には、中空円筒部５の形状を円以外の形状とすることも可能である。
【００１５】
また、リング状基板６の周縁に設けられている周状フランジ７の内面には、図２に示されているように、波形係合部８が全周にわたって形成されている。即ち、この波形係合部８は、凹部８ａと凸部８ｂとの繰り返しからなっている。この波形係合部８は、ロック部材２を段階的に回転させるために設けられるものである。
【００１６】
ロック部材２は、上記中空円筒部５よりも大径の円形の頭部基板１０を有しており、この頭部基板１０の内面には、円柱部１１が形成され、この円柱部１１が環状保持部材１の中空円筒部５の内部に嵌め込まれるようになっている（図１参照）。さらに、円柱部１１には、コイル状バネ１２が取り付けられており、このコイルバネ１２は、紙管４内に挿入され、その先端１２ａは、紙管４の内面に圧着されるようになっている。即ち、コイルバネ１２は、紙管４の内径の大小にかかわらず、容易に紙管４内に挿入することができ、且つ先端１２ａが紙管４の内面に圧着することにより、頭部基板１０が位置決めされるようになっている。
【００１７】
尚、コイルバネ１２の先端１２ａを紙管４の内面に圧着させ、しっかりと位置固定するためには、例えば図１のＡ部を拡大して示す図４から明らかな通り、その先端１２ａを外方に向けて屈曲させ、先端１２ａを紙管４の内面に面接触させるようにしたり（図４（ａ）参照）、或いはその先端１２ａにゴム状の弾性部材１３を設けることが好適である（図４（ｂ）参照）。
【００１８】
一方、頭部基板１０の外面には、図２に示されているように、摘み１５が設けられており、さらに頭部基板１０の外周面には、突起１６が設けられている。即ち、突起１６は、前述した環状保持部材１の周状フランジ７の内面に形成されている波形係合部８の凹部８ａと係合しており、この係合によって、頭部基板１０は、紙管４に嵌合している環状保持部材１に対して段階的に回転し得るようになっている。
【００１９】
即ち、摘み１５を持って、ロック部材２の頭部基板１０を、例えば図１におけるＤ方向に段階的に回転させることにより、コイルバネ１２は伸張し（コイル径が大となる）、コイルバネ１２の全体が紙管４の内面に圧接し、これにより、ロック部材２はしっかりと固定され、環状保持部材１は、このロック部材２によって紙管４と一体に回転し得るように、しっかりと紙管４に保持される。また、頭部基板１０をＤ方向とは逆方向に回転させると、コイルバネ１２のコイル径は縮小し、従って、このロック部材２を速やかに紙管４から引き出すことができる。
【００２０】
また、本発明においては、コイルバネ１２により、環状保持部材１を直接弾性力で保持することもできる。この例を図５に示した。
【００２１】
即ち、図５においては、頭部基板１０の内面に設けられた円柱部１１が薄肉の偏平状に形成されており、コイルバネ１２は、環状保持部材１の中空円筒部５の内部を通って紙管４の内部に延びている。従って、頭部基板１０をＤ方向に段階的に回転させることにより、コイルバネ１２が拡径し、コイルバネ１２の弾性力が中空円筒部５を押し広げるように作用する。この結果、中空円筒部５が紙管４の内面に押し付けられ、環状保持部材１は、一層、しっかりと、紙管４とロック部材２との間で保持されることとなる。
【００２２】
【発明の効果】
このように、本発明のロール紙保持具では、コイルバネを備えたロック部材を用いて環状保持部材を紙管４に保持しているため、紙管４の内径の大小に左右されず、常に、安定に環状保持部材を紙管４の端部に保持することができ、例えば紙管４に巻かれたロール紙の巻き戻し等の操作も環状保持部材を回転させることにより、安定に行うことができる。
【図面の簡単な説明】
【図１】本発明のロール紙保持具をロール紙管と共に示す側断面図。
【図２】図１のロール保持具の正面図。
【図３】図１のロール保持具における環状保持部材の背面図。
【図４】コイルバネの先端形状の例を示す図。
【図５】本発明のロール保持具の他の例を示す側断面図。
【符号の説明】
１：環状保持部材
２：ロック部材
３：ロール紙
４：紙管
５：中空円筒部
６：リング状基板
７：周状フランジ
８：波形係合部
１０：頭部基板
１１：円柱部
１２：コイルバネ
【図１】
2004323215.tif 000003
【図２】
2004323215.tif 000004
【図３】
2004323215.tif 000005
【図４】
2004323215.tif 000006
【図５】
2004323215.tif 000007